(57)【要約】【課題】眼鏡自体の美感、ファッション性を高めて着用者の外観を装飾することができるとともに、レンズを損傷させず、眼鏡の使用時に不快音を発生せず、しかも、レンズへの取付作業が簡単で且つ紛失しにくい装飾具を提供する。【解決手段】眼鏡２のレンズ３にその厚さ方向に設けられた透孔３Ａに挿入される挿入芯部１Ａに弾性素材からなる被覆部材５が結合された挿入部６と、挿入芯部１Ａの、レンズ３の表面側３Ｂの端部１Ｄに連設された装飾本体部１Ｂとからなり、挿入部６は被覆部材５の圧縮により生じる反発力によって透孔３Ａに圧着されてレンズ３に固定される。【選択図】図２
2007199214.tif 000002
【特許請求の範囲】
【請求項１】
眼鏡のレンズにその厚さ方向に設けられた透孔に挿入される挿入芯部に弾性素材からなる被覆部材が結合された挿入部と、前記挿入芯部の、前記レンズの表面側の端部に連設された装飾本体部とからなり、前記挿入部は前記被覆部材の圧縮により生じる反発力によって前記透孔に圧着されて前記レンズに固定されることを特徴とする装飾具。
【請求項２】
前記挿入部の長さは、前記レンズの厚さと同じに設定されていることを特徴とする、請求項１に記載の装飾具。
【請求項３】
前記挿入芯部の、前記レンズの裏面側の端部に前記端部を被覆する当て部が設けられていることを特徴とする、請求項１又は２に記載の装飾具。
【発明の詳細な説明】
【技術分野】
【０００１】
本発明は眼鏡のレンズに取り付けられる装飾具に関する。
【背景技術】
【０００２】
従来より、人は自己の身体を装飾するために、指輪、ネックレス、イヤリング、ピアス等のいわゆる装身具を用いているが、このような装身具は、身体に直接着ける、即ち、指輪は指にはめ、ネックレスは首にかけ、イヤリング及びピアスは耳につけるというように、身体の特定の部位に直接着けて使用するのに適した構造を備えている。そのため、前記装身具は、通常、その構造に由来する外観等の制約から、衣服に取り付けられるブローチのように身体に間接的に着けて着用者を装飾するというように使用されることはない。
【０００３】
装身具におけるそのような制約に対して、特許文献１に示されるように、レンズにピアスの取り付け用孔を設けて、ピアスを取り付けることができるようにした眼鏡が提案されている。この考案によれば、そのような構成により眼鏡のバリエーションやファッションを楽しむことができる、とされている。
【特許文献１】登録実用新案第３０６９７２０号公報
【発明の開示】
【発明が解決しようとする課題】
【０００４】
しかしながら、前記考案においては、前述のような利点が得られる反面、１）ピアスの芯は、金属製であるため、レンズ取り付け用孔に挿通する際に誤ってレンズ又は取り付け用孔の縁部又はその周辺部に接触させたときに、これらを損傷させるおそれがある、２）レンズに設けられた小さな穴にピアスの芯を挿通し且つ芯に固定用具としてのキャッチをはめるという細かい作業が必要であるという煩わしさがあり、また、ピアスとキャッチは別部品であるので、眼鏡から取り外したりする際に紛失しやすい、３）眼鏡の使用時に、振動により、穴に挿通した芯が穴の中で動いてピアスとレンズとの間で生じる接触音による不快感がある、４）ピアスの芯はレンズの厚さより長いため、レンズの裏面側に突出している部分が、眼鏡の着用時等に顔や手の皮膚に触れて負傷させるおそれがある、等の問題があった。
【０００５】
本発明は前述のような問題に鑑みてなされたものであるが、本発明の装飾具は、特許文献１に示されたピアスと同様に眼鏡に取り付けられるという点では共通していても、ピアスとして耳に着けて機能させるということはできない性質のものであるという点で、従来のピアス又は身体に直接着けられる装身具の概念には属さない、新規な概念の物品である。そのような前提の下で、本発明の目的とするところは、第一に、眼鏡自体の美感、ファッション性を高めて着用者の外観を装飾することができるとともに、レンズを損傷させず、眼鏡の使用時に振動等による不快音を発生せず、しかも、レンズへの取付作業が簡単で且つ紛失しにくい、新規な装飾具を提供することである。
【０００６】
また、本発明の第二の目的は、前記第一の目的に加えて、眼鏡の着用時等に顔や手の皮膚を負傷させることのない、安全な装飾具を提供することである。
更に、本発明の第三の目的は、前記第一の目的又は第二の目的に加えて、眼鏡の着用時等における顔や手の皮膚への安全性を積極的に高めた装飾具を提供することである。
【課題を解決するための手段】
【０００７】
前記の目的を達成するために、本発明は、次のように構成したことを特徴とする。即ち、請求項１に係る発明の装飾具は、眼鏡のレンズにその厚さ方向に設けられた透孔に挿入される挿入芯部に弾性素材からなる被覆部材が結合された挿入部と、前記挿入芯部の、前記レンズの表面側の端部に連設された装飾本体部とからなり、前記挿入部は前記被覆部材の圧縮により生じる反発力によって前記透孔に圧着されて前記レンズに固定されることを特徴とするものである。
【０００８】
請求項２に係る発明の装飾具は、請求項１に記載の装飾具において、前記挿入部の長さが、前記レンズの厚さと同じに設定されていることを特徴とするものである。
請求項３に係る発明の装飾具は、請求項１又は２に記載の装飾具において、前記挿入芯部の、前記レンズの裏面側の端部に前記端部を被覆する当て部が設けられていることを特徴とするものである。
【発明の効果】
【０００９】
請求項１に記載の発明に係る装飾具によれば、装飾本体部によって眼鏡の美感、ファッション性が高まって着用者を装飾することができるとともに、レンズを損傷させることがなく、眼鏡の使用時において不快音を発生せず、しかも、レンズへの取付等取り扱いが簡便で且つ紛失しにくい、という効果を奏する。
【００１０】
請求項２に記載の発明に係る装飾具によれば、請求項１に記載の発明の効果に加えて、眼鏡の着用時等に顔や手の皮膚を負傷させることがなく安全である、という効果をも奏する。
【００１１】
請求項３に記載の発明に係る装飾具によれば、請求項１又は２に記載の発明の効果に加えて、眼鏡の着用時等に顔や手の皮膚を負傷させることが積極的に防止されて安全である、という効果をも奏する。
【発明を実施するための最良の形態】
【００１２】
以下、図面に基づいて本発明の最良の実施の形態について詳細に説明すると、図１は本発明に係る装飾具を眼鏡（一部省略して図示）に取り付けた状態を概念的に示す斜視図、図２は前記状態を拡大して示す概念的な側断面図、図３は図２中Ａ−Ａ断面図、図４は前記装飾具の概念的な拡大正面図、図５は前記装飾具の概念的な拡大側面図、図６は前記装飾具の概念的な拡大背面図である。なお、前記装飾具の平面図及び底面図はそれぞれ前記側面図を９０度反時計方向及び時計方向に転回させた状態となる。
【００１３】
符号１で表される本発明の装飾具は、図１に示すように、眼鏡２（右目側の要素は一部図示を省略してある）のレンズ３に取り付けられた状態で使用されるもので、次のような構成を備えている。即ち、装飾具１は、図２に詳しく示すように、レンズ３の、実用上視界を損なわない部位にその厚さ方向に設けられた断面円形の透孔３Ａに挿入される、例えば金属製の挿入芯部１Ａに弾性素材からなる被覆部材５が結合された挿入部６と、挿入芯部１Ａの、レンズ３の表面３Ｂ側の端部１Ｄに連設された、例えば金属製の装飾本体部１Ｂとからなっている。
【００１４】
より詳しく述べると、装飾具１が取り付けられる眼鏡２については、近視、遠視等における視力補正用眼鏡、紫外線や強力光を防ぐためのサングラス、おしゃれ用に使用される眼鏡等、どのようなタイプのものでも、本発明において使用可能である。
【００１５】
挿入部６は、透孔３Ａと同様に断面円形に形成されている。被覆部材５は、弾性素材である、例えばシリコンゴムが用いられ、例えば接着剤によって挿入芯部１Ａと結合されている。被覆部材５の直径従って挿入部６の直径は、挿入部６の透孔３Ａへの挿入前は図２及び図３において鎖線７で示すように、透孔３Ａの直径より若干大きく設定されている。従って、挿入部６は、透孔３Ａに挿入したときに、被覆部材５がその素材の性質から透孔３Ａによって圧縮された状態になって反発力が生じることにより、透孔３Ａに圧着されて透孔３Ａ従ってレンズ３に固定されるようになっている。また、挿入部６及び挿入芯部１Ａは、いずれも、その長さ（図２における左右方向の長さ）Ｌを、レンズ３の厚さ（図２における左右方向の長さ）Ｔと同じに設定されて、特に挿入芯部１Ａがレンズ３の裏面３Ｃ側から突出して顔の皮膚に接触しないように構成されている。
【００１６】
更に、挿入部６には、挿入芯部１Ａの、レンズ３の裏面３Ｃ側の端部１Ｃに端部１Ｃを被覆する当て部８が設けられている。当て部８は、被覆部材５と同様に弾性素材例えばシリコンゴムからなり、挿入芯部１Ａと対向する面と反対側の面８Ａ即ち人体の皮膚に対向する面が、皮膚への当たりを優しくして傷つけないようにするために、例えば球面状に形成されている。当て部８は、ここでは、被覆部材５にまでまたがった状態で挿入芯部１Ａ及び被覆部材５の双方に、例えば接着剤により、固着されている。
【００１７】
一方、装飾本体部１Ｂは、装飾を目的とする意匠として例えば半球形に形成されたもので、前記挿入芯部１Ａと一体に成形されており、装飾機能を果たしめるために必要なつや出し等の美的加工が施されている。装飾本体部１Ｂは、このような構成例のほか、例えば、挿入芯部１Ａの、レンズ３の表面３Ｂ側の端部１Ｄに適宜の台座を介して結合された宝石、真珠等によって構成することも勿論可能である。
【００１８】
本発明の装飾具１は、眼鏡２のレンズ３における透孔３Ａに挿入部６を挿入して眼鏡２に取り付けるが、前述のような構成を備えているから、眼鏡本来の機能を維持したうえで、装飾本体部１Ｂによって眼鏡自体の新たな美感を生じさせて着用者を装飾する機能を果たす。そして、この装飾具１においては、挿入部６がレンズ３の透孔３Ａに被覆部材５を介して固定されるので、眼鏡２の使用時に振動によって挿入芯部１Ａがレンズ３と接触しあうことがなく、そのため、不快音が発生しない。また、挿入部６は、挿入芯部１Ａが弾性素材からなる被覆部材５によって被覆されているので、レンズ３の透孔３Ａに挿入する際に、レンズ３、透孔３Ａ又はその周辺部を損傷することもない。更に、この装飾具１は、挿入部６をレンズ３の透孔３Ａに挿入するだけで、固定用の別部品を要せずに、極めて簡単に取付を行うことができるうえ、挿入部６が被覆部材５の反発力によって透孔３Ａに圧着されており、且つ、挿入芯部１Ａに、圧縮された被覆部材５との摩擦力も同時に作用しているから、レンズ３にいったん取り付けられた装飾具１は、レンズ３から引き抜いて取り外すことは困難であり、従って、レンズ３から脱落することがなく、そのため、紛失のおそれがない。また、装飾本体部１Ｂに例えば指で触ったときに図２中符号Ｆで示すように外力が加えられても、その外力Ｆは挿入芯部１Ａを介して被覆部材５によって吸収されるため、装飾本体部１Ｂが挿入芯部１Ａの、レンズ３の表面３Ｂ側の端部１Ｄから折れて離脱する可能性も非常に低い。
【００１９】
更に、挿入部６及び挿入芯部１Ａは、その長さＬがレンズ３の厚さＴと同じであるから、レンズ３の裏面３Ｃ側より突出せず、従って、顔面等の皮膚に当たってこれを傷めることがなく、安全である。また、挿入芯部１Ａの、レンズ３の裏面３Ｃ側の端部１Ｃが当て部８によって被覆されているので、挿入芯部１Ａが、若干の寸法誤差等何らかの原因によってレンズ３の裏面３Ｃ側より突出している場合でも、当て部８によって皮膚の負傷が確実に防止される。
【００２０】
本発明は、前記実施の形態に限定されるものではなく、本発明の要旨を逸脱しない範囲内で種々の改変が可能である。例えば、挿入部は、レンズに設けられる透孔の断面形状に応じて断面円形以外の形状とする、例えば多角形とすることもできる。また、挿入芯部は、図示の実施の形態においては、細いピン状のものとして示されているが、被覆部材の反発力を考慮しつつ、透孔の直径に可能な限り近づけて太くすることもできる。挿入芯部と被覆部材との結合方法としては、前述した接着剤の使用のほか、例えば、前記シリコンゴムを熱融着により挿入芯部と結合させ、又は、挿入芯部に例えば凹凸を設けて被覆部材と係合させる、等の方法も可能である。また、被覆部材の素材によっては、圧縮されたときに生じる挿入芯部との摩擦力を大きくすることができるため、接着剤を使用しなくても、この摩擦力によって被覆部材と挿入芯部とが結合された状態が得られる。その場合には、その摩擦力の作用によって、何らかの原因で挿入芯部が被覆部材から引き離されて装飾本体部側に引き出されてしまうという事態が防止されることになる。更に、挿入芯部と装飾本体部との連設は、前述のような一体成形によるほか、両者の溶接等による接合、両者を凹凸の形成等によって機械的に噛み合わせることによる結合等、素材、形状、寸法等に応じて適宜の方法を採用して行うことができる。更に、前記当て部は、挿入芯部と接着するのではなく一体成形によって挿入芯部の端部に設けることも勿論可能である。従ってまた、挿入芯部と装飾本体部と当て部とを一体成形して一つの部材として構成することも可能である。
【図面の簡単な説明】
【００２１】
【図１】本発明に係る装飾具を眼鏡に取り付けた状態を概念的に示す斜視図である。
【図２】前記状態を拡大して示す概念的な側断面図である。
【図３】図２中Ａ−Ａ断面図である。
【図４】前記装飾具の概念的な拡大正面図である。
【図５】前記装飾具の概念的な拡大側面図である。
【図６】前記装飾具の概念的な拡大背面図である。
【符号の説明】
【００２２】
１      装飾具
１Ａ    挿入芯部
１Ｂ    装飾本体部
１Ｄ    端部
２      眼鏡
３      レンズ
３Ａ    透孔
５      被覆部材
６      挿入部
【図１】
2007199214.tif 000003
【図２】
2007199214.tif 000004
【図３】
2007199214.tif 000005
【図４】
2007199214.tif 000006
【図５】
2007199214.tif 000007
【図６】
2007199214.tif 000008